【手続補正書】
【提出日】平成19年5月23日(2007.5.23)
【手続補正１】
【補正対象書類名】明細書
【補正対象項目名】特許請求の範囲
【補正方法】変更
【補正の内容】
【特許請求の範囲】
【請求項１】
液体及びベーパの混合体中に存在する液体を合体させる（ｃｏａｌｅｓｃｉｎｇ）装置であって、
装置入口（２４４）と、
装置出口（２４８）と、
該装置入口及び該装置出口と流れ連通した共通のチャンバ（２４６）にして、該装置入口から該装置出口まで延びかつ該装置入口から該装置出口への全体的な流路を規定する第一の部分（２９０）を有する前記共通のチャンバとを備える装置において、
該共通のチャンバは、該第一の部分に隣接しかつ該装置入口から該装置出口への該全体的な流路から離れた第二の部分（２９５）をさらに備え、
該液体及びベーパの混合体内の該液体の一部分は該第二の部分（２９５）内で合体し、かつ該液体及びベーパの混合体は、該液体の実質的な量が該ベーパの実質的な量から分離し分かれた液体及びベーパとして、該共通のチャンバから該装置出口（２４８）によって出ることを特徴とする、装置。
【請求項２】
請求項１に記載の装置において、該共通のチャンバは該装置入口又は該装置出口の幅よりも大きい幅を有する、装置。
【請求項３】
請求項１又は２に記載の装置において、該装置は該装置入口に隣接して位置決めされた計量ユニット（２２９）をさらに備え、該計量ユニットは液化した熱伝導流体の該共通のチャンバ内への流れを調節する弁組立体を有する、装置。
【請求項４】
請求項１又は２に記載の装置において、該装置は該共通のチャンバに連結された第二の装置入口をさらに備え、該第二の装置入口は高圧のベーパを受け入れ該高圧のベーパを該共通のチャンバに伝導する形態とされる、装置。
【請求項５】
請求項１又は２に記載の装置において、該装置入口に連結された計量ユニット（２２９）をさらに備え、該計量ユニットは該熱伝導流体を該共通のチャンバ内に体積的に膨張させる、装置。
【請求項６】
請求項１又は２に記載の装置において、該第二の部分内にリザーバ（３０５）をさらに備え、該リザーバは該共通のチャンバ内に該熱伝導流体の一部分を取り込み、該液体が合体するのを許容する、装置。
【請求項７】
請求項１又は２に記載の装置において、該出口に隣接した切欠き（３００）をさらに備え、該切欠きは、該共通のチャンバから該装置出口を通じて出ることができる熱伝導流体の量を減少させる、装置。
【請求項８】
請求項１又は２に記載の装置において、高温のガスが該共通のチャンバに流体として入ることを可能にする第二の装置入口（２４５）をさらに備える、装置。
【請求項９】
請求項１又は２に記載の装置において、該装置は多機能弁（２２５）の一部を形成する、装置。
【請求項１０】
請求項１又は２に記載の装置において、該第一の部分は該共通のチャンバの長さの７５％以下に等しい長さを有する、装置。
【請求項１１】
請求項１０に記載の装置において、該第一の部分は該共通のチャンバの長さの３５％以下に等しい長さを有する、装置。
【請求項１２】
第一の入口（４６１）及び出口（４６３）を有し、かつ請求項１又は２に記載の装置を備える流量計量装置（４１８）であって、該装置入口が該流量計量装置の該第一の入口（４６１）に接続され、該装置出口が該流量計量装置の該出口（２４８）に接続される、流量計量装置。
【請求項１３】
ベーパ圧縮システム（４１０）であって、
熱伝導流体の圧力及び温度を増加させるコンプレッサ（４１２）と、
該熱伝導流体を液化するコンデンサ（４１４）と、
周囲環境からの熱を該熱伝導流体に伝導する蒸発器（４１６）にして、入口（４５５）を有する蒸発器と、
請求項１２に記載の流量計量装置と、
入口（４６４）及び出口（４６５）を有する計量ユニット（ｍｅｔｅｒｉｎｇ  ｕｎｉｔ）（４４９）と、
該流量計量装置の該出口を該蒸発器の該入口に接続する飽和ベーパ管と、
該計量ユニットの該出口を該蒸発器の該入口に接続する冷媒管（４５６）と、
該コンデンサを該流量計量装置の該第一の入口及び該計量ユニットの該入口に接続する分岐液体管（４２２）と、
該コンプレッサを該コンデンサの該入口に接続する排出管（４２０）と、
該蒸発器を該コンプレッサに接続する吸引管（４３０）とを備え、
該コンデンサから該蒸発器への熱伝導流体の流れは該流量計量装置及び該計量ユニットの一方を通じて流れるよう方向づけられる、ベーパ圧縮システム。
【請求項１４】
請求項１３に記載のベーパ圧縮システムにおいて、該吸引管に取付けられ、該流量計量装置及び該計量ユニットに作用可能に接続された温度センサ（４３２）をさらに備える、ベーパ圧縮システム。
【請求項１５】
請求項１４に記載のベーパ圧縮システムにおいて、該流量計量装置は、
該第一の入口に連結され、第一のソレノイド弁により仕切られる第一の通路と、
該第一の通路内に位置決めされ、該温度センサにより励起される機械式の計量弁とをさらに備える、ベーパ圧縮システム。
【請求項１６】
請求項１３又は１４に記載のベーパ圧縮システムにおいて、該周囲環境の状態を監視するセンサ（４６０）をさらに備える、ベーパ圧縮システム。
【請求項１７】
請求項１６に記載のベーパ圧縮システムにおいて、該流量計量装置の該第一の入口は第一の仕切弁（４７１）により仕切られ、該計量ユニットの該入口は第二の仕切弁（４７４）により仕切られ、該センサは該第一の仕切弁及び該第二の仕切弁に作用可能に接続される、ベーパ圧縮システム。
【請求項１８】
請求項１７に記載のベーパ圧縮システムにおいて、該第一の仕切弁は、該センサから信号を受け取ったとき、該流量計量装置を通じる熱伝導流体の流れを停止させ、該第二の仕切弁は、該センサから信号を受け取ったとき、該計量ユニットを通じる熱伝導流体の流れを停止させる、ベーパ圧縮システム。
【請求項１９】
請求項１３又は１４に記載のベーパ圧縮システムにおいて、
複数の蒸発器と、
複数の流量計量装置と、
複数の飽和ベーパ管にして、各々が該複数の流量計量装置の１つを該複数の蒸発器の１つに接続する、複数の飽和ベーパ管と、
複数の吸引管にして、各々が該複数の蒸発器の１つを該コンプレッサに接続する、複数の吸引管とをさらに備え、
該複数の吸引管の各々には、信号を該複数の流量計量装置の選ばれた１つに伝達する温度センサが取付けられる、ベーパ圧縮システム。
【請求項２０】
請求項１３乃至１５のいずれかに記載のベーパ圧縮システムにおいて、該飽和ベーパ管の一部分は乱流管（６００）であり、該乱流管はその内面にディンプル（６０５）を有する、ベーパ圧縮システム。
【請求項２１】
請求項１３乃至１５のいずれかに記載のベーパ圧縮システムにおいて、該飽和ベーパ管の一部分は、熱伝導流体の流れを乱流に変換する乱流管であり、該乱流管はその内面に配置された少なくとも１つのディンプル（６０５）を備え、該少なくとも１つのディンプルは熱伝導流体の流れを乱流に変換するよう動作する、ベーパ圧縮システム。
【請求項２２】
請求項２１に記載のベーパ圧縮システムにおいて、該乱流管の出口は蒸発器の入口に接続される、ベーパ圧縮システム。
【請求項２３】
請求項２１に記載のベーパ圧縮システムにおいて、該少なくとも１つのディンプルは該熱伝導流体の該流れに向けて内方に突き出す隆起部である、ベーパ圧縮システム。
【請求項２４】
請求項１５に記載のベーパ圧縮システムにおいて、該機械式の計量弁は急速動作毛細管（５００）である、ベーパ圧縮システム。
【請求項２５】
請求項２４に記載のベーパ圧縮システムにおいて、該急速動作毛細管は、
熱伝導流体が膨張管に流体としてかつ液体として入ることを可能にする入口と、
該熱伝導流体が該膨張管から流体としてかつ液体及びベーパの混合体として出ることを可能にする出口と、
該出口に連結され、該急速動作毛細管を通じる熱伝導流体の流れを制御する仕切弁とを備える、ベーパ圧縮システム
【請求項２６】
請求項２５に記載のベーパ圧縮システムにおいて、該仕切弁はソレノイド弁である、ベーパ圧縮システム
【請求項２７】
請求項２５に記載のベーパ圧縮システムにおいて、該仕切弁は該蒸発器の該入口に接続される、ベーパ圧縮システム
【請求項２８】ベーパ圧縮システム（４１０）を作用させる方法であって、
熱伝導流体をコンプレッサ（４１２）内で比較的高い温度及び圧力に圧縮する工程と、
該圧縮された熱伝導流体を排出管を通じてコンデンサ（４１４）まで流動させる工程と、
該熱伝導流体を該コンデンサ内で液化する工程と、
該熱伝導流体を分岐液体管（４２２）を通じて該コンデンサから計量ユニット（４４９）の第一の入口及び請求項１２に記載の流量計量装置（４１８）の該第一の入口まで流動させる工程と、
該熱伝導流体が該計量ユニット（４４９）及び該流量計量装置（４１８）の一方の該入口を通じて流れるよう方向づける工程と、
該熱伝導流体を該計量ユニット及び該流量計量装置の一方の出口から蒸発器（４１６）の入口まで流動させる工程と、
該熱伝導流体を該蒸発器の該入口にて受け入れる工程と、
該熱伝導流体を吸引管を通じて該コンプレッサに戻す工程とを含む、方法。
【請求項２９】
請求項２８に記載の方法において、該方法は周囲環境の状態を制御するよう作用する、方法。
【請求項３０】
請求項２８又は２９に記載の方法において、該蒸発器により受け入れられる該熱伝導流体は飽和ベーパである、方法。
【請求項３１】
請求項２９又は３０に記載の方法において、該周囲環境の該状態を測定するよう該周囲環境内にセンサ（４６０）を設ける工程をさらに備え、該熱伝導流体は該センサからの信号に応答して該計量ユニット及び該流量計量装置の一方の該入口を通じて流れるよう方向づけられる、方法。
【請求項３２】
請求項３０に記載の方法において、該センサは該周囲環境内の湿度を検出する、方法。
【請求項３３】
請求項２８に記載の方法において、該流量計量装置から出る該熱伝導流体は、該熱伝導流体が該蒸発器に入る前に、高品質の液体及びベーパの混合体を形成する、方法。
【請求項３４】
請求項２８に記載の方法において、該流量計量装置から出る該熱伝導流体は、該熱伝導流体が該蒸発器に入る前に、乱流状態にある、方法。
【請求項３５】
請求項３４に記載の方法において、該飽和ベーパは該蒸発器を実質的に充填し、熱は該周囲環境から該飽和ベーパに伝導される、方法。
【請求項３６】
請求項３４に記載の方法において、該飽和ベーパは該蒸発器を実質的に充填する、方法。
【請求項３７】
請求項２８に記載の方法において、該熱伝導流体は乱流として該蒸発器に入る、方法。
【請求項３８】
請求項２８に記載の方法において、該熱伝導流体を乱流管（６００）を通じて該流量計量装置の該出口から蒸発器の入口まで流動させる工程をさらに含み、該乱流管は、該熱伝導流体が乱流状態にて該蒸発器に入るよう十分な長さ及び直径のものであり、また、十分な量のディンプル（６０５）を有する、方法。
【請求項３９】
請求項２８に記載の方法において、該熱伝導流体を乱流管（６００）を通じて該流量計量装置の該出口から蒸発器の入口まで流動させる工程をさらに含み、該乱流管は熱伝導流体の流れを乱流に変換するのに十分な一連のディンプル（６０５）を備える、方法。
【請求項４０】
請求項１に記載の装置において、該第二の部分は、
（i）該装置入口（２４４）から該共通のチャンバの後部壁（２５３）に向けて延長す
るか、又は、
（ii）該共通のチャンバの底面に沿って配置されたリザーバ（３０５）を備える、装置
。